(57)【要約】【課題】調理排ガス整流板の大きさとレンジフードの形式の差に関係なく簡単に取り付けできる構造の調理排ガス整流板を有するレンジフードを提供する。【解決手段】調理用レンジ上に開口する調理排ガス捕集用のフードの下端中央部分の開口に、フードの内側周縁部との間に空隙を形成した状態で、板状の調理排ガス整流板として、複数に分割した分割板３１，３２，３３の端部に連結部材３６を設け、この連結部材３６をフードの内側周縁部の内側に存在する油受け溝に係止し、内側周縁部に連結することによってフードと一体化する。【選択図】図４
2015124995.tif 000002
【特許請求の範囲】
【請求項１】
頂部に排気用ダクトを有し、下端を調理用レンジ上に開口する調理排ガス捕集用のフードの下端開口中央部に前記フードの内側周縁部との間に空隙を設けて調理排ガス整流板を配置したレンジフードにおいて、
前記調理排ガス整流板は、その端部が前記フードの内側周縁部の溝に係止するフックを有する連結板により前記フードの内側周縁部に連結することによって前記フードと一体化してなることを特徴とする調理排ガス整流板を有するレンジフード。
【請求項２】
前記調理排ガス整流板はその周辺に立設部を設けてなる請求項１に記載の調理排ガス整流板を有するレンジフード。
【請求項３】
前記調理ガス整流板は複数の板状の分割板からなり、これらの複数の前記分割板が集合して、前記フードの開口の周辺に空隙を設けて取り付けてなる請求項１または２に記載の調理排ガス整流板を有するレンジフード。
【発明の詳細な説明】
【技術分野】
【０００１】
本発明は、調理用レンジの上方に設置されて、調理により発生する調理排ガスを屋外へ排出するレンジフードに関する。
【背景技術】
【０００２】
通常の家庭用の比較的小型の調理用レンジフードは、下面が開口した発生ガスの捕獲空間を有するフードを有し、このフード頂部のガス排出部に設けられた排風機を駆動することによって、調理排ガス中の油煙をフード内に設けられたフィルタを通過せしめたのち、浄化した調理ガスを屋外に排出するようになっている。
【０００３】
そして、近年、この家庭調理用レンジフードは、例えば、特許文献１および特許文献２に示されているように、フードの下面の開口に整流板を設けているのが通常である。
【０００４】
この整流板は、フードの下端開口に取り付けるに際して、フードの内側周縁部との間に形成された間隙が、調理中に発生したガスの吸い込みを円滑に行う流入路となる機能と、調理時に発生するガス量が一時的に排風機による排出容量を超えて増量した際には、増量分をフード内に滞留させて排風機の容量調整を行う機能を有する。
【先行技術文献】
【特許文献】
【０００５】
【特許文献１】特開２０１１−１７４６５号公報
【特許文献２】特開２０１３−２１３６０２号公報
【発明の概要】
【発明が解決しようとする課題】
【０００６】
ところが、このように、レンジフードに設けた整流板の効果自体は知られているにしても、比較的大容量の業務用のレンジフードには多くは採用されていないのが現実である。
【０００７】
その原因は、業務用としては、整流板自体が家庭用よりも大きく、また、重くなり、上記のそれぞれの特許文献に記載されているように、従来の特殊な金具や構造をそのまま採用できない。
【０００８】
そこで、本発明が解決しようとする課題は、レンジフードに調理排ガス整流板を設けるに当たって、調理排ガス整流板の大きさとレンジフードの形式の差に関係なく簡単に取り付けできる構造を提供することにある。
【課題を解決するための手段】
【０００９】
本発明は、頂部に排気用ダクトを有し、下端を調理用レンジ上に開口する調理排ガス捕集用のフードの下端開口中央部に前記フードの内側周縁部との間に空隙を設けて調理排ガス整流板を配置したレンジフードにおいて、
前記調理排ガス整流板は、その端部が前記フードの内側周縁部の溝に係止するフックを有する連結板により前記フードの内側周縁部に連結することによって前記フードと一体化してなることを特徴とする。
【００１０】
前記調理排ガス整流板は、その周辺に上方に折り曲げ立設部を設け、これによって、調理排ガス整流板の変形を防止するとともに強化することが望ましい。
【００１１】
また、前記調理排ガス整流板は、複数の分割板に分割することによって、その変形強度を増し、取り付け作業を簡単に行うことができる。
【発明の効果】
【００１２】
本発明は、家庭用、業務用の如何に関わらず、また、既設、新規作成の如何に関わらず、さらには、フードの形態の如何に関わらず、簡単に、通常のレンジフードの構造として備えている内側下端周辺に設けられた溝構造を利用して、調理排ガス整流板を取り付けることができる。
【００１３】
したがって、本発明に基づいて、調理排ガス整流板と前記フードの下端開口の内側周縁部との間の間隙を通過し導入される調理用レンジからの排ガス量が、配置された排風機の容量あるいは容量以下の場合には、調理排ガス整流板のフード側面とフードの下端開口の内側周縁部との間の間隙に配置した部材の存在に影響されることなく、また、フード内に滞留することなく、そのままフィルタを通ってフードから排出される。
【００１４】
以下のとおり、本発明によって調理排ガス整流板設置の効果を奏することができる。
Ａ．レンジフードに設置される排気系統の風量が少なくてすむ。
したがって、以下の効果が奏せられる。
１  排気ファンが小さくなる。
２  騒音の減少。
３  排気ダクトが小さくでき、ダクトスペースも小さくできる。
４  グリスフィルターのサイズダウン。
【００１５】
Ｂ．給気のための風量が小さくてすむ。
１  給気ファンが小さくなる。
２  ＯＡダクトが小さく、ダクトスペースも小さくなる。
【００１６】
Ｃ．レンジフードによる調理排ガスの排出効果が向上するので、厨房内の空調負荷が小さくてすむ。
１  初期設置費の削減に通じる。
２  ランニングコストが低減する。
【図面の簡単な説明】
【００１７】
【図１】本発明の実施例であるレンジフードを下面から見た図である。
【図２】図１のII−II線における切断面を示す図である。
【図３】図１のIII−III線における切断面を示す図である。
【図４】調理排ガス整流板の外観を示す図である。
【図５】調理排ガス整流板とレンジフードの内周面との連結状態を示す図である。
【発明を実施するための形態】
【００１８】
以下、本発明を実施するための形態を下記実施例に基づいて説明する。
【実施例】
【００１９】
添付図は、本発明の実施例であるレンジフードを大学の寮の厨房のレンジフードに適用した例を示すもので、２，１５０ＣＭＨ、下部吸込み面積が０．４９６ｍ2、吸込風速が１．２０ｍ／ｓの定格として設計施工したものである。
【００２０】
本発明の実施例であるレンジフード１０を下面から見た図１と、図１のII−II線における切断面を示す図２、および、図１のIII−III線における切断面を示す図３において、レンジフード１０は、１６２０ｍｍ2の下開放面と６００ｍｍの高さのフード２を有する。そして、フード２の中央上面には、フード２の下面開放面から導入される調理排ガス中の油煙その他の不純物を濾過するフィルタ４と、濾過した後の調理排ガスを強制排出する排風機に連通するダクト１が取り付けられている。
【００２１】
図示しない調理器の上方に位置するフード２の下方内周面には、作業の便宜上、３枚に分割した分割板３１，３２，３３を、フード２の内側周縁部に形成された油受け溝７（図５参照）との間に間隙８を設けて配置して、調理排ガス整流板３を構成し、この下方から導入される調理ガスのフード２内への導入がスムーズに行われることになる。
【００２２】
図４は、図１から図３に示す調理排ガス整流板３を構成するための分割板３１の外観を示す。
【００２３】
図１に示す調理排ガス整流板３を構成するための分割板３１，３２，３３は、基本的に図４に示す分割板の一つ３１と同一構造を有する。
【００２４】
同図に示す分割板３１は底板３４と、その周囲に底板３４の捻り防止と強化のために立設された立上り面３５を有し、その長手方向の端部には、連結部材３６が２カ所、溶接留めされている。
【００２５】
これらの連結部材３６は、通常、レンジフードの内周面に形成されている油滓留めのような溝（例えば、油受け溝７）に係止めされることによって、簡単に、それぞれの分割板３１，３２，３３をフード２の内周面に取り付けることができ、フード２の開放下面に調理排ガス整流板３を形成することができる。
【００２６】
図５は、上記分割板３１を、フード２の内周面５に形成された油受け溝７を利用して、フード２に取り付けた状態を示す。同図において、フード２の下端に設けられた、調理ガスから分離された油を受け留める油受け溝７に、分割板３１の先端の連結部材３６を係止する。これを漸次、他の分割板３２，３３を、フード２の内周面５の他の油受け溝７に順次係止することによって、図１に示す調理排ガス整流板３をフード２の下方開放面に形成できる。
【産業上の利用可能性】
【００２７】
既設、新規のレンジフードに関係なく、また、調理排ガス流の流れに関係なく調理排ガス整流板を設けることができる。
【符号の説明】
【００２８】
１０  レンジフード
１  ダクト
２  フード
３  調理排ガス整流板
３１，３２，３３  分割板
３４  底板
３５  立上り面
３６  連結部材
４  フィルタ
５  フードの内周面
６  調理排ガス整流板と油受け溝との間隙
７  油受け溝
８  間隙
【図１】
2015124995.tif 000003
【図２】
2015124995.tif 000004
【図３】
2015124995.tif 000005
【図４】
2015124995.tif 000006
【図５】
2015124995.tif 000007